(57)【要約】【課題】利用者の携帯電話を事業者の管理装置に自動接続させ、海外に於いても、所定の国語で録音された着信者側携帯電話番号の入力要求が案内されるようにして、利用者の利便性を向上させる。【解決手段】本考案の自動送信装置は、前方後円形状の装置本体と、その前方部分に、携帯電話機の差込み口に挿入するコネクターと、を備え、装置本体内には、事業者管理装置へ接続する為の事業者管理装置電話番号、及び、事業者管理装置が自動送信装置の利用時間に応じて課金する課金番号を登録したメモリーと、携帯電話機からの発信要求に応答して、事業者管理装置に接続して、課金番号を含む発信情報を送信する自動接続手段とを備え、携帯電話機のボタン操作が、相手電話番号、及び、機能符号のみで行なえるようにしたことを特徴とする。【選択図】　　　　　図２
0003097732.tif 000002
【実用新案登録請求の範囲】
【請求項１】
通信サービスを代金前払い方式で利用する際に、携帯電話機に接続して使用するデータの自動送信装置であって、
前記自動送信装置は、前方後円形状の装置本体と、該装置本体の前方部分に、前記携帯電話機の差込み口に挿入するコネクターと、を備え、
前記装置本体内には、事業者管理装置へ接続する為の事業者管理装置電話番号、及び、前記事業者管理装置が前記自動送信装置の利用時間に応じて課金する課金番号を登録したメモリーと、
前記コネクターの接続状態で、前記携帯電話機からの発信要求に応答して、前記事業者管理装置に接続して、前記課金番号を含む発信情報を送信する自動接続手段と、を備え、
無線基地局を介して電話回線網にアクセスする際に、前記携帯電話機のボタン操作が、相手電話番号、及び、機能符号のみで行なえるようにしたことを特徴とする自動送信装置。
【請求項２】
前記装置本体には、その両側に脱着用操作子が設けられていることを特徴とする請求項１に記載の自動送信装置。
【請求項３】
前記事業者管理装置は、前記課金番号毎に、前記通信サービスの利用可能時間を含む課金情報を少なくとも登録したデータベースと、
前記自動接続手段によって送信された前記発信情報を受信し、この発信情報より前記データベースを検索して該当する前記課金情報を取得し、この課金情報より前記通信サービスの提供可否を検査する利用条件検査手段と、を備えたことを特徴とする請求項１または２に記載の自動送信装置。
【請求項４】
前記データベースは、着信者電話機の着信側電話番号の入力要求を案内する音声が、所定の言語で録音された案内音声情報を更に含み登録されていることを特徴とする請求項３に記載の自動送信装置。
【請求項５】
前記事業者管理装置は、前記利用条件検査手段によって検査した検査結果が、前記通信サービスの提供可能の場合に、前記発信情報を送信した発信者の前記携帯電話機に案内音声情報を送信する案内音声送信手段を更に備えたことを特徴とする請求項１から４のいずれか１項に記載の自動送信装置。
【考案の詳細な説明】
【０００１】
【考案の属する技術分野】
本考案は、インターネットのようなＩＰネットワークを利用して音声信号を送るＶｏＩＰ技術が利用され、通信料金の代金を前払いすることにより、通話サービスが受けられる自動送信装置に関する。
【０００２】
【従来の技術】
従来の技術として、特表２００２−５０８６３３号公報には、プリペイドカードで通話料金を支払うように構成された携帯電話通信システムが開示されている。このシステムで利用されるプリペイドカードは、該カードのＩＤ番号、及び、接続された携帯電話機との間の情報交換を暗号化して行うマイクロプロセッサを有している。また、ＶｏＩＰ技術を利用した通信システムについては、国内に於ける所定の場所から海外に於ける所定の場所迄の専用回線と、その海外のフリーダイヤル回線を使用して、低料金のプリペイドカードによる国際電話サービスが提供されている。しかし、その利用者より、電話を掛ける際のプリペイドカードに記載された事業者の電話番号や課金番号の入力桁数が多い為、入力の煩わしさが有り、又、海外に於いて、プリペイドカードによる国際電話サービスを利用する際、操作指示メッセージが日本語で通知されない、と言った運用面についての問題点が指摘されている。
【０００３】
【考案が解決しようとする課題】
本考案は、従来技術の有するこのような問題点に鑑みてなされたものであり、その目的とするところは、通信代金前払い方式による通信サービスにおいて、利用者の携帯電話機を事業者の管理装置に自動接続させ、海外に於いても、所定の国語で録音された着信者側携帯電話番号の入力要求が案内されるようにして、利用者の利便性を向上させる。
【０００４】
【課題を解決するための手段】
上記目的を達成する為、本考案は、通信サービスを代金前払い方式で利用する際に、携帯電話機に接続して使用するデータの自動送信装置であって、前記自動送信装置は、前方後円形状の装置本体と、該装置本体の前方部分に、前記携帯電話機の差込み口に挿入するコネクターと、を備え、前記装置本体内には、事業者管理装置へ接続する為の事業者管理装置電話番号、及び、前記事業者管理装置が前記自動送信装置の利用時間に応じて課金する課金番号を登録したメモリーと、前記コネクターの接続状態で、前記携帯電話機からの発信要求に応答して、前記事業者管理装置に接続して、前記課金番号を含む発信情報を送信する自動接続手段と、を備え、無線基地局を介して電話回線網にアクセスする際に、前記携帯電話機のボタン操作が、相手電話番号、及び、機能符号のみで行なえるようにしたことを特徴とする。また、前記装置本体には、その両側に脱着用操作子が設けられていることを特徴とする。
【０００５】
前記事業者管理装置は、前記課金番号毎に、前記通信サービスの利用可能時間を含む課金情報を少なくとも登録したデータベースと、前記自動接続手段によって送信された前記発信情報を受信し、この発信情報より前記データベースを検索して該当する前記課金情報を取得し、この課金情報より前記通信サービスの提供可否を検査する利用条件検査手段と、を備えたことを特徴とする。前記データベースは、着信者電話機の着信側電話番号の入力要求を案内する音声が、所定の言語で録音された案内音声情報を更に含み登録されていることを特徴とする。また、前記事業者管理装置は、前記利用条件検査手段によって検査した検査結果が、前記通信サービスの提供可能の場合に、前記発信情報を送信した発信者の前記携帯電話機に案内音声情報を送信する案内音声送信手段を更に備えたことを特徴とする。
【０００６】
これにより、利用者は、電話を掛ける際に、事業者管理装置に接続する電話番号、通信料金の代金前払い方式の為に設定された課金番号の入力が省略できる。脱着用操作子は、相手に接続された際に、左右の操作子を押すことで取り外せるように設けられているので、自動送信装置内に設けられた電池の消耗を防ぐ。
事業者管理装置は、課金情報、案内音声情報を登録したデータベースと、利用条件検査手段、案内音声送信手段を備えているので、利用者は、国内の他に海外で通話料金の代金前払い方式を利用する際にも、その操作指示メッセージを国内と同様の国語（言語）で通信サービスを受けることができる。
【０００７】
【考案の実施の形態】
本考案の実施の形態について図面を参照して説明する。
図１は、本考案の自動送信装置１を示し、図２は、自動送信装置１が携帯電話機２に接続されて使用されることを示し、図３は、自動送信装置１の機能を説明するものである。これら図１乃至図３に示すように、この自動送信装置１は、装置本体１ａが、前方後円形状に形成され、その装置本体１ａの前方部分には、携帯電話機２の後端部の差込み口に挿入するように突出させてコネクター３が設けられている。また、装置本体１ａの後円部分には、その両側に、携帯電話機２からの脱着用に操作子６が設けられ、更に、携帯用のストラップが取付けられるように、挿通口９が形成されている。
【０００８】
自動送信装置１の内部には、事業者管理装置１０へ接続する為の自動接続手段８、及び、メモリー７が設けられている。このメモリー７には、事業者管理装置電話番号、及び、事業者管理装置１０が自動送信装置１の利用時間に応じて課金する課金番号が登録されている。また、自動接続手段８は、携帯電話機２からの発信要求に応答して、事業者管理装置１０に接続して、上述した課金番号を含む発信情報を送信するように構成されている。
【０００９】
この自動送信装置１は、通信サービスを代金前払い方式で利用する際に、携帯電話機２にコネクター３を介して接続状態として使用する。即ち、自動送信装置１は、無線基地局４を介して事業者管理装置１０に接続し、課金番号を含む発信情報を自動送信し、事業者管理装置１０が、その利用を許可した場合に限り、携帯電話機２を電話回線網にアクセスする。これにより、携帯電話機２のボタン操作は、相手電話番号、及び、機能符号のみであり、利用者は電話を掛ける際に、通信料金の代金前払い方式の為に設定された課金番号等の入力が省略できる。即ち、このような簡単なボタン操作により、電話回線網にアクセスし、相手の携帯電話機２（固定電話機を含む）に接続し、相手が応答後には、内部電池の消耗をできるだけ少なくする為、装置本体の両側に設けられた脱着用操作子取り外す。携帯電話機２から自動送信装置１が取り外された状態であっても、通信サービスが中断されることはない。
【００１０】
事業者管理装置１０は、代金前払い方式による通信サービスを提供する為に、必要な情報を登録する為のデータべ−ス２０を備え、データべ−ス２０は、課金テーブル２１、案内音声テーブル２２から構成される。この課金テーブル２１は、自動送信装置１を使用した携帯電話機２の通信サービスの利用可能時間を管理する為の課金情報が記録され、検索キー部である課金番号、及び、データ部に属する利用可能時間、登録年月日等の情報が格納される。
また、案内音声テーブル２２は、日本語で録音された案内音声情報が記録され、検索キー部である音声番号と、データ部に属する案内音声、登録年月日等の情報を格納する。上述した案内音声には、「着信側電話番号の入力要求の案内音声」、「課金番号未登録のエラー通知音声」、「利用可能時間不足のエラー通知音声」等が登録される。
【００１１】
事業者管理装置１０の処理手段群３０は、少なくとも利用条件検査手段３１、案内音声送信手段３２を備える。
利用条件検査手段３１は、自動送信装置１の自動接続手段８によって送信された発信情報を受信し、この発信情報よりデータべ−ス２０を検索して該当する課金情報を取得し、この課金情報より通信サービスの提供可否を検査する。即ち、取得した課金情報に設定されている利用可能時間を検査した後、利用可能時間がゼロ以外の場合は、自動接続手段８から受け付けた発信情報を案内音声送信手段３２に受け渡す。利用可能時間がゼロの場合は、案内音声テーブル２２を検索して「利用可能時間不足のエラー通知音声」が録音されている案内音声を取得して、自動接続手段８から受け付けた発信情報に設定されている発信者の携帯電話機２に、取得した案内音声を送信して処理を終了する。
【００１２】
案内音声送信手段３２は、利用条件検査手段３１からの発信情報を受けた際に、案内音声テーブル２２を検索して「着信側電話番号の入力要求の案内音声」が録音されている案内音声を取得し、発信情報に設定されている発信者の携帯電話機２に取得した案内音声を送信し、着信者の電話機の入力を受け付けて、入力した着信側電話番号の電話機に信号を送信する。この案内音声送信手段３２により、利用者は、国内の他に海外で通信料金の代金前払い方式を利用する際にも、その操作指示メッセージを国内と同様の日本語で通信サービスを受けることができる。
【００１３】
【考案の効果】
本考案の自動送信装置は、ＶｏＩＰ技術を利用した代金前払い方式による通信システムを利用し、利用者の携帯電話機のボタン操作が、相手電話番号、及び、機能符号のみで着信者側の電話機に接続できるようにした。即ち、事業者管理装置への接続が自動で出来るようにすると共に、海外に於いても、母国語による操作指示で録音された相手電話番号の入力要求が案内されるようにしたことにより、課金番号の入力等が省略できて利用者の利便性が向上される。また、装置本体を前方後円形状とし、その両側に脱着用操作子を設けているので、脱着が容易である。
【図面の簡単な説明】
【図１】自動送信装置を示した正面図である。
【図２】携帯電話機に自動送信装置を嵌挿したことを示す説明図である。
【図３】自動送信装置の機能を説明する説明図である。
【符号の説明】
１　自動送信装置
２　携帯電話機
４　無線基地局
５　インターネット
６　脱着用操作子
７　メモリー
８　自動接続手段
１０　事業者管理装置
２０　データベース
２１　課金テーブル
２２　案内音声テーブル
３０　処理手段群
３１　利用条件検査手段
３２　案内音声送信手段
【図１】
0003097732.tif 000003
【図２】
0003097732.tif 000004
【図３】
0003097732.tif 000005